(57)【要約】【課題】管状光源からの光を有効に下方に配光する形状の反射板を備え、軽量で充分な強度を有し、かつ安価な天井用照明器具を提供する。【解決手段】反射板２を、側方部材２１，２２と支持部材２３との３つの部材に分割して構成した。側方部材２１，２２のそれぞれは、収納部２１Ａを含む一定の断面形状で互いに同一の断面形状を呈し、支持部材２３を挟んで対称形状となるように配置した。収納部２１Ａは、蛍光灯１０１の上面に対向する上側に凸形状の円弧で構成した。支持部材２３の両側端の凸部２５のそれぞれが側方部材２１，２２のそれぞれの凹部２４に嵌入する。支持部材２１、側方部材２２及び側方部材２３の３つの部材は、２つの金型によって軽金属材料の押出加工によって成形される。【選択図】図２
2007242402.tif 000002
【特許請求の範囲】
【請求項１】
並列して配置される複数の管状光源に電源を供給するための電気部品を搭載して天井に固定される固定体と、前記固定体の底面に固定される反射板と、を備えた天井用照明器具であって、
前記反射板は、平板状の長手方向に一定の断面形状を呈する支持部材と、それぞれが前記複数の管状光源のうちの一つの管状光源の上面に対向する上向きに凸形状の収納部を含む長手方向に一定の断面形状を呈する第１の側方部材と、前記第１の側方部材と同一の断面形状を呈するとともに前記支持部材を挟んで対称形状となるように配置される第２の側方部材と、からなり、前記第１及び第２の側方部材並びに前記支持部材が軽金属材料の押出加工によって成形され、前記支持部材の両側端のそれぞれが前記第１及び第２の側方部材のそれぞれの内側の端部に接続されることを特徴とする天井用照明器具。
【請求項２】
前記反射板の上方で、前記第１及び第２の側方部材のそれぞれにおける前記内側の端部と前記支持部材の両側端との接続状態を保持する保持部材を、さらに備えたことを特徴とする請求項１に記載の天井用照明器具。
【請求項３】
前記収納部は、上向きに凸形状の円弧によって構成されていることを特徴とする請求項１又は２に記載の天井用照明器具。
【発明の詳細な説明】
【技術分野】
【０００１】
この発明は、天井に取り付けられて複数の蛍光灯等の管状光源を保持する天井用照明器具に関する。
【背景技術】
【０００２】
天井に取り付けられる天井用照明器具として、複数の蛍光灯等の管状光源を並列して保持できるようにしたものがある（例えば、特許文献１参照。）。
【０００３】
このような天井用照明器具では、複数の管状光源のそれぞれの上面に対向する上向きに凸形状の収納部を複数形成した反射板が備えられている。
【特許文献１】特開２００２−２８９０３５号公報
【発明の開示】
【発明が解決しようとする課題】
【０００４】
従来の天井用照明器具の反射板は、一般に金属平板を素材としてプレス加工によって形成されている。このため、管状光源の上面に対向する上向きに凸形状の収納部は、曲面で構成することが難しく、例えば、台形等の複数の平面から構成された断面形状にされており、管状光源からの光を有効に下方に配光することができない問題がある。
【０００５】
配光特性を考慮して、曲面で構成された収納部を有する反射板を形成する方法として、樹脂材料や金属材料の成形品とすることが考えられる。しかし、店舗や事務所等の広い空間に設置される天井用照明器具では、反射板を樹脂材料の成形品にすると充分な強度を得ることができず、金属材料の成形品にすると重量が重くなり過ぎるとともにコストの上昇を招く問題がある。
【０００６】
この発明の目的は、反射板を複数の部分に分割して軽金属材料の押出加工によって成形することにより、管状光源からの光を有効に下方に配光する形状の反射板を備えることができ、軽量で充分な強度を有し、かつ安価な天井用照明器具を提供することにある。
【課題を解決するための手段】
【０００７】
上記の課題を解決するための手段として、この発明の天井用照明器具は、以下の構成を備えている。
【０００８】
（１）並列して配置される複数の管状光源に電源を供給するための電気部品を搭載して天井に固定される固定体と、固定体の底面に固定される反射板と、を備えた天井用照明器具であって、反射板は、支持部材、第１の側方部材、第２の側方部材を備えている。支持部材は、平板状の長手方向に一定の断面形状を呈する。第１及び第２の側方部材のそれぞれは、収納部を含む長手方向に一定の断面形状で互いに同一の断面形状を呈し、支持部材を挟んで対称形状となるように配置される。収納部は、複数の管状光源のうちの一つの管状光源の上面に対向する上側に凸形状にされている。支持部材の両側端のそれぞれが第１及び第２の側方部材のそれぞれの内側の端部に接続される。支持部材、第１の側方部材及び第２の側方部材は、軽金属材料の押出加工によって成形される。
【０００９】
この構成では、天井用照明器具の反射板が、互いに対称な断面形状を呈する第１及び第２の側方部材と、両側端のそれぞれが第１及び第２の側方部材のそれぞれの内側の端部に接続される平板状の支持部材と、の３つの部材に分割した状態で、例えばアルミニウム合金等の軽金属材料の押出加工によって成形される。第１及び第２の側方部材は、同一の断面形状を呈するため、側方部材と支持部材との２種類の形状の比較的小型で安価な金型を用いた押出加工によって３つの部材が成形される。３つの部材は軽金属材料を素材としており、反射板は軽量に構成される。側方部材において管状光源に対向する収納部が、形状の自由度が高い押出加工によって成形される。
【００１０】
（２）上記（１）の構成において、反射板の上方で、第１及び第２の側面部材のそれぞれにおける内側の端部と支持部材の両側端との接続状態を保持する保持部材を、さらに備えたことを特徴とする。
【００１１】
この構成では、第１及び第２の側面部材のそれぞれにおける内側の端部と支持部材の両側端との接続状態が、反射板の上方で保持部材によって保持される。３つの部材を一体にして構成された反射板の構造が維持される。
【００１２】
（３）上記（１）又は（２）の構成において、収納部は、上向きに凸形状の円弧によって構成されていることを特徴とする。
【００１３】
この構成では、管状光源の上面が円弧状の収納部に対向する。管状光源の光が、円弧状の収納部に反射して無駄なく下方に配光される。
【発明の効果】
【００１４】
この発明によれば、以下の効果を奏することができる。
【００１５】
（１）側方部材と支持部材との２種類の形状の比較的小型の金型を用いた押出加工によって反射板を構成する３つの部材を成形することができ、反射板を軽量かつ安価に構成することができる。管状光源に対向する収納部を、形状の自由度が高い押出加工により、管状光源の光の配光特性を考慮した形状に容易に成形できる。
【００１６】
（２）３つの部材を一体にして構成された反射板の構造を確実に維持することができ、反射板の経時的な変形を防止できる。
【００１７】
（３）管状光源の光を、円弧状の収納部に反射させて無駄なく下方に配光することができる。
【発明を実施するための最良の形態】
【００１８】
以下に、この発明の最良の実施形態を図面を参照しつつ詳細に説明する。図１は、この発明の実施形態に係る天井用照明器具１の底面方向から見た外観図である。天井用照明器具１は、天井面に取り付けられて２本の蛍光灯（管状光源）１０１を並列して保持する。天井用照明器具１の外装は、反射板２と２枚の端面板３とによって構成されている。
【００１９】
反射板２は、一対の側方部材（第１及び第２の側方部材）２１，２２と、中央部の支持部材２３とから構成されている。側方部材２１は、天井用照明器具１の外装の長手方向に平行な側面をも構成している。２枚の端面板３は、反射板２の長手方向の両端部のそれぞれに取り付けられ、天井用照明器具１の短手方向に平行な側面を構成している。
【００２０】
側方部材２１，２２の長手方向の両端部の下方には、合計４個のソケット４が露出している。側方部材２１及び側方部材２２のそれぞれの長手方向の両端部に位置する一対のソケット４の間に蛍光灯１０１が保持される。ソケット４は、蛍光灯１０１の端子を天井用照明器具１の内部に収納されている電気部品に接続する。
【００２１】
図２は、天井用照明器具１の内部構造を示す断面図である。天井用照明器具１は、反射板２及び２枚の側端板３によって４側面と底面とを包囲された中空形状を呈している。天井用照明器具１の上面は開放している。天井用照明器具１は、一例として上面を天井面に密着させて固定される。
【００２２】
天井用照明器具１の内部には、固定体５及びソケット台６が備えられている。固定台５は、底面に電気部品２０１を搭載している。電気部品２０１は、蛍光灯１０１に電力を供給する。固定台５は、固定ネジを介して天井面に固定される。固定台５の底面の一部には、ブラケット５１が固定されている。ブラケット５１は、上側に開放した略コの字型断面形状を呈している。
【００２３】
前述のように、反射板２は、側方部材２１，２２と支持部材２３との３つの部材に分割して構成されている。側方部材２１と側方部材２２とは、同一の断面形状を呈しており、支持部材２３を挟んで対称となるように配置されている。
【００２４】
側方部材２１，２２のそれぞれの内側の端部には、凹部２４が形成されている。支持部材２３の両端部には、凸部２５が形成されている。側方部材２１，２２のそれぞれの凹部２４に支持部材２３の両端部の凸部２５を嵌入することで、側方部材２１，２２が支持部材２３に連結されて一体にされている。
【００２５】
支持部材２３は、図示しない皿ネジによってブラケット５１の底面に固定される。皿ネジのネジ部は、支持部材２３に形成された取付孔を下方から貫通してブラケット５１のネジ孔に螺合する。
【００２６】
反射板２の上方には、保持部材２６が配置されている。保持部材２６は、両端部に屈曲部２６Ａを形成した金属平板である。保持部材２６の屈曲部２６Ａは、側方部材２１に形成された孔部２７と側方部材２２に形成された孔部２７とに嵌入している。保持部材２６に生じる弾性力によって側方部材２１，２２が互いに接近する方向に付勢される。これによって、側方部材２１，２２と支持部材２３との連結状態が確実に維持される。
【００２７】
固定体５の長手方向の両端部には、ソケット台６が固定されている。ソケット台６には、２個のソケット４が取り付けられている。２個のソケット４は、側方部材２１を貫通して反射板２の下方に露出する。
【００２８】
図３（Ａ）及び（Ｂ）は、側方部材２１の断面図及び要部の底面図である。側方部材２１は、アルミニウム合金等の軽金属材料の押出加工により、収納部２１Ａ、側面部２１Ｂ、凹部２４、孔部２７〜２９を一体的に含む一定の薄肉の断面形状に成形された長尺物を、所定の長さに切断して用いられる。
【００２９】
収納部２１Ａは、底面に対向して配置される蛍光灯１０１の光を下方に効率的に配光するために、上向きに凸形状の円弧を含む断面形状にされている。側面部２１Ｂは、収納部２１Ａの外側の端部から上方に延出し、天井用照明器具１の長手方向に平行な側面を構成している。このため、反射板２の一部によって天井用照明器具１の外装の一部が構成される。部品点数が減少し、組立工数の削減によって製造コストを低減できる。
【００３０】
反射板２の側方部材２１，２２を押出加工によって成形することにより、収納部２１Ａの形状を、蛍光灯１０１の光の配光効率を考慮した曲面等を含む形状に容易に成形できる。
【００３１】
孔部２７〜２９は、側方部材２１の補強用のリブとして機能するとともに、側端板３の取付孔として機能する。タッピングネジのネジ部を側端板３に形成された取付孔を貫通させて孔部２７〜２９に螺合させることにより、反射板２に側端板３が固定される。
【００３２】
収納部２１Ａの長手方向の両端には、開口部７が形成されている。開口部７には、ソケット４が上方から貫通する。
【００３３】
支持部材２３も、アルミニウム合金等の軽金属材料の押出加工によって両端部に凸部２５を一体的に含む一定の薄肉平板の断面計所に成形された長尺物を、所定の長さに切断して用いられる。
【００３４】
したがって、側方部材２１，２２及び支持部材２３を連結して構成される反射板２は、全体がアルミニウム合金等の軽金属材料によって軽量に構成される。また、側方部材２２は、側方部材２１と同様に構成されるため、側方部材２１、側方部材２２及び支持部材２３の３つの部材が２つの比較的小型の金型によって成形される。単一の金型で反射板２を成形する場合に比較して、製造コストを低廉化できる。
【００３５】
なお、保持部材２６は、図４に示すように、屈曲部２６Ａが側方部材２１，２２のそれぞれの孔部２７の外側に位置するものであってもよい。
【００３６】
また、支持部材２３を収納部２１Ａと略同一の断面形状とし、ソケット台６に３つのソケットを取り付けることにより、天井用照明器具１が３本の蛍光灯１０１を保持するものとすることができる。また、側方部材２１に２つの収納部２１Ａを並設することにより、４本又は５本の蛍光灯１０１を保持する天井用照明器具を構成することもできる。
【図面の簡単な説明】
【００３７】
【図１】この発明の実施形態に係る天井用照明器具の外観図である。
【図２】天井用照明器具の断面図である。
【図３】天井用照明器具の反射板の側方部材の断面図及び要部の底面図である。
【図４】別の実施形態に係る天井用照明器具の保持部材を示す断面図である。
【符号の説明】
【００３８】
１  天井用照明器具
２  反射板
３  側端板
４  ソケット
５  固定体
６  ソケット台
２１，２２  側方部材
２３  支持部材
２１Ａ  収納部
【図１】
2007242402.tif 000003
【図２】
2007242402.tif 000004
【図３】
2007242402.tif 000005
【図４】
2007242402.tif 000006